(57)【特許請求の範囲】
【請求項１】
被梱包物をその位置を規制した状態で支持し、被梱包物を梱包する外箱が外嵌される底箱であって、底壁シート部とその底壁シート部の各辺に夫々連設される側壁シート部とを備える一枚の段ボールシートを折り曲げて上面が開放された箱状に組み立てられると共に、被梱包物に同梱される被同梱物を収納する内箱を有するものにおいて、
段ボールシートの紙幅方向に位置する所定の側壁シート部に、紙幅方向にのびる内箱用シートが更に連設され、
内箱用シートに、所定の側壁シート部側から順に紙幅方向に間隔を存して、流れ方向に夫々のびる第１折線、第２折線、第３折線及び第４折線が設けられ、内箱用シートが、第１折線で折り曲げられて所定の側壁シート部に対向する姿勢に折り返される第１折線と第２折線との間の第１内側板部と、第２折線で第１内側板部に対して折り曲げられて底壁シート部に重なり合う第２折線と第３折線との間の内底板部と、第３折線で内底板部に対して折り曲げられて第１内側板部に対向する第３折線と第４折線との間の第２内側板部と、第４折線で第２内側板部に対して折り曲げられて内底板部に対向する第４折線より紙幅方向外側の内蓋板部とを有し、内箱の流れ方向両側の開口面を夫々覆う一対の第３内側板部が第１内側板部及び第２内側板部の少なくとも一つに、紙幅方向にのびる第５折線を介して連設され、内蓋板部の開放を防止するロック手段を設けたことを特徴とする底箱。
【請求項２】
請求項１記載の底箱であって、前記第１折線が紙幅方向に間隔を存して形成される２本の折線で構成されるものにおいて、
前記ロック手段が、第１折線の各折線間でこれら折線に沿って開設される第１挿通孔と、前記内蓋板部から紙幅方向に突出すると共に、流れ方向にのびる第６折線で内蓋板部に対して折り曲げ自在で第１挿通孔に挿入可能な爪片と、この爪片に第６折線に沿って開設される第２挿通孔と、前記所定の側壁シート部から第１挿通孔を跨いで紙幅方向にのびて第２挿通孔に挿入可能な舌片とで構成されることを特徴とする底箱。
【請求項３】
前記内底板部に、前記第２折線から所定間隔を存してかつその第２折線に沿ってのびるリード罫が設けられることを特徴とする請求項１または請求項２記載の底箱。
【発明の詳細な説明】
【技術分野】
【０００１】
本発明は、被梱包物をその位置を規制した状態で支持し、被梱包物を梱包する外箱が外嵌される底箱に関する。
【背景技術】
【０００２】
例えば、給湯器、給湯器用ポンプユニットや温風暖房器などの器具を出荷するのに際しては、被梱包物としての器具本体を梱包箱に収納し、この状態で目的地まで運搬することが行われている。このような梱包箱には、被梱包物をその位置を規制した状態で支持する、上面が開放された底箱と、底箱に外嵌されて被梱包物を梱包する、上面及び下面が夫々開放された外箱とを備えるものが知られている（例えば特許文献１参照）。そして、底箱に被梱包物を設置し、外箱を底箱にその上方から外嵌し、外箱の上側から、被梱包物の上端周縁部を覆うように緩衝体を嵌め込み、この状態で上面を蓋で閉じることで被梱包物が梱包される。底箱としては、底壁シート部とその底壁シート部の各辺に夫々連設される側壁シート部とを備える一枚の段ボールシートを折り曲げて上面が開放された箱状に組み立てられるものが用いられる。
【０００３】
ところで、出荷時、梱包箱には、例えば器具の付属品などの被同梱物を同梱することがある。従来、緩衝体を一枚の段ボールシートを折り曲げて箱状に組み立てて構成し、例えばこの緩衝体の角部を内側に凹状に凹まされることで被同梱物を収納するため収納部を一体に設けることが知られている（例えば、特許文献２参照）。
【０００４】
然しながら、被同梱物の中には、真鍮製の逆止弁や配管用の継手のような重量物もある。この場合、上記従来例のように梱包箱の上部に位置する緩衝体に被同梱物の収納部を設けていると、梱包箱の安定性が悪い。このため、一枚の段ボールシートから組み立てられる底箱に被同梱物を収納する収納部を一体に設けることが考えられるが、特に被同梱物が重量物である場合、運搬時の衝撃（例えば落下によるもの）や振動で被同梱物が破損したり、収納部から被同梱物が飛び出して器具本体に衝突して傷つける等の不具合が生じないようにする必要がある。
【先行技術文献】
【特許文献】
【０００５】
【特許文献１】特開２００８−２５４７９２号公報
【特許文献２】特開２００８−２２２２９７号公報
【発明の概要】
【発明が解決しようとする課題】
【０００６】
本発明は、以上の点に鑑み、被同梱物が収納でき、しかも、運搬時の衝撃や振動で被同梱物が破損したり、飛び出することを防止できるようにした底箱を提供することをその課題とするものである。
【課題を解決するための手段】
【０００７】
上記課題を解決するために、被梱包物をその位置を規制した状態で支持し、被梱包物を梱包する外箱が外嵌される本発明の底箱は、底壁シート部とその底壁シート部の各辺に夫々連設される側壁シート部とを備える一枚の段ボールシートを折り曲げて上面が開放された箱状に組み立てられると共に、被梱包物に同梱される被同梱物を収納する内箱を有し、段ボールシートの紙幅方向に位置する所定の側壁シート部に、紙幅方向にのびる内箱用シートが更に連設され、内箱用シートに、所定の側壁シート部側から順に紙幅方向に間隔を存して、流れ方向に夫々のびる第１折線、第２折線、第３折線及び第４折線が設けられ、内箱用シートが、第１折線で折り曲げられて所定の側壁シート部に対向する姿勢に折り返される第１折線と第２折線との間の第１内側板部と、第２折線で第１内側板部に対して折り曲げられて底壁シート部に重なり合う第２折線と第３折線との間の内底板部と、第３折線で内底板部に対して折り曲げられて第１内側板部に対向する第３折線と第４折線との間の第２内側板部と、第４折線で第２内側板部に対して折り曲げられて内底板部に対向する第４折線より紙幅方向外側の内蓋板部とを有し、内箱の流れ方向両側の開口面を夫々覆う一対の第３内側板部が第１内側板部及び第２内側板部の少なくとも一つに、紙幅方向にのびる第５折線を介して連設され、内蓋板部の開放を防止するロック手段を設けたことを特徴とする。
【０００８】
本発明によれば、底箱を箱状に組み立てた後、第１内側板部、内底板部、第２内側板部、内蓋板部及び第３内側板部を第１〜第５の各折線で順次折り曲げると、底箱内に、ロック手段で開放が防止された蓋付きの内箱が形成され、この内箱に被同梱物を収納することができる。この場合、紙幅方向にのびる内箱用シートを各折線で折り曲げているため、内箱の組立姿勢では、第１内側板部、第２内側板部及び第３内側板部における段ボールシートの中芯が夫々上下方向にのびるように延在することで、内箱に十分な強度を持たせることができる。しかも、被同梱物が収納される内箱底側は、夫々がクッション性を持つ底壁シートと内底板部との二重底構造となる。その結果、内箱内に収納される被同梱物が重量物であっても、運搬時の衝撃や振動で被同梱物が破損したり、飛び出すことを防止できる。
【０００９】
本発明においては、前記第１折線が紙幅方向に間隔を存して形成される２本の折線で構成される場合、前記ロック手段が、第１折線の各折線間でこれら折線に沿って開設される第１挿通孔と、前記内蓋板部から紙幅方向に突出すると共に、流れ方向にのびる第６折線で内蓋板部に対して折り曲げ自在で第１挿通孔に挿入可能な爪片と、この爪片に第６折線に沿って開設される第２挿通孔と、前記所定の側壁シート部から第１挿通孔を跨いで紙幅方向にのびて第２挿通孔に挿入可能な舌片とで構成されることが好ましい。これによれば、底箱に外箱を外嵌する際に、第２挿通孔に挿入した舌片が抜け出し難い構造にできる。
【００１０】
ところで、底箱、ひいては、梱包箱の小型化を図るためには、被梱包物を底箱に設置した状態で被梱包物と所定の側壁シート部との間のスペースは、内箱を組み立てられるだけのものに定寸されていることが望ましい。この場合、第１内側板部と内底板部とが重なるように折り畳み、これら折り畳んだものを第１折線を起点に揺動させれば、被梱包物と所定の側壁シート部との間のスペースに挿入でき、第１内側板部が所定の側壁シート部に対向する姿勢から内底板部を展開すれば、上記スペースに内箱を組み立てることができる。然し、第１内側板部と内底板部とを折り畳むときに、第１内側板部が不必要に折り曲げられると、強度が低下する。そこで、本発明においては、前記内底板部に、前記第２折線から所定間隔を存してかつその第２折線に沿ってのびてるリード罫が設けられることが好ましい。これによれば、第１内側板部が不必要に折り曲げられて強度が低下する等の不具合は生じない。
【図面の簡単な説明】
【００１１】
【図１】被梱包物と被同梱物とを梱包する梱包箱を分解した状態で示す斜視図。
【図２】本実施形態の底箱の組立前の状態を示す展開図。
【図３】本実施形態の底箱の組立後の状態を示す平面図。
【図４】（ａ）及び（ｂ）は、底箱を組み立てた状態を示す、内箱の組立手順を説明する斜視図及び断面図。
【図５】（ａ）及び（ｂ）は、第３底板部、第１緩衝板部及び第２緩衝板部を夫々折り畳んだ状態を示す、内箱の組立手順を説明する斜視図及び断面図。
【図６】（ａ）及び（ｂ）は、リード罫を起点に第１内側板部と内底板部とを折り畳んだ状態を示す、内箱の組立手順を説明する斜視図及び断面図。
【図７】（ａ）及び（ｂ）は、第１折線で第１内側板部を折り返した状態を示す、内箱の組立手順を説明する斜視図及び断面図。
【図８】（ａ）及び（ｂ）は、第１内側板部、内底板部及び第２内側板部を箱状に組み立てた状態を示す、内箱の組立手順を説明する斜視図及び断面図。
【図９】（ａ）及び（ｂ）は、内蓋板部を閉じた状態を示す、内箱の組立手順を説明する斜視図及び断面図。
【発明を実施するための形態】
【００１２】
以下、図面を参照して、被梱包物を給湯器用ポンプユニット、被同梱物を重量物としての逆止弁とし、これら給湯器と逆止弁とを梱包箱に同梱する場合を例に本発明の実施形態の底箱を説明する。
【００１３】
図１を参照して、ＷＢは、ポンプユニットＰｕと逆止弁Ｏｖとを同梱する梱包箱である。梱包箱ＷＢは、ポンプユニットＰｕをその位置を規制した状態で支持すると共に逆止弁Ｏｖを収納する内箱Ｉｂを有する、上面が開放された本実施形態の底箱Ｂｂと、底箱Ｂｂに外嵌されてポンプユニットＰｕを梱包する外箱Ｏｂとを備える。ポンプユニットＰｕや逆止弁Ｏｖは公知のものであるため、ここでは詳細な説明は省略する。
【００１４】
外箱Ｏｂは、折線を介して連設される４枚の側壁シート部１１と、各側壁シート部１１の上辺に夫々連設される蓋シート部１２とを備える一枚の段ボールシート１を折り曲げて上面及び下面が開放された箱状に組み立てたものであり、各蓋シート部１２を折り曲げて上面開口を閉じることができるようにしている。段ボールシート１としては、表ライナーと中芯と裏ライナーとで構成されるものが用いられるが、これに限定されるものではない。
【００１５】
図２及び図３を参照して、内箱Ｉｂを有する底箱Ｂｂは、底箱用シート２と内箱用シート３とを有する一枚の段ボールシートから組み立てられる。段ボールシートとしては、上記同様、表ライナー３ａと中芯３ｂと裏ライナー３ｃとで構成されるものが用いられる。底箱用シート２は、紙幅方向に長手の底壁シート部２１とその底壁シート部２１の各辺に夫々連設される側壁シート部２２〜２５とを備える。流れ方向に位置する側壁シート部２３，２５には、底壁シート部２１の紙幅方向両端から所定長さだけ夫々突出するオーバーラップシート部２６，２６が夫々連設され、各オーバラップシート部２６，２６の所定位置には、流れ方向内方に向けて凹む凹状の切欠き２６ａが夫々設けられている。
【００１６】
また、紙幅方向に位置する側壁シート部２２，２４の所定位置には、略凸状の爪片２２ａ，２４ａが形成されるように切込み２２ｂ，２４ｂが夫々設けられている。そして、底箱Ｂｂの組立時、爪片２２ａ，２４ａを切欠き２６ａに夫々係止することで、粘着テープ等を用いることなく、底箱Ｂｂが箱状に組み立てられ、その姿勢が維持できるようにしている。以下において、折線２１ａで底壁シート部２１に対して各側壁シート部２２〜２５を起立する方向に折り曲げる場合を基準とし、これと同方向に折り曲げる場合を谷折り、その逆に折り曲げる場合を山折りとして説明する。
【００１７】
内箱用シート３は、紙幅方向に位置（図２中、左側に位置）する所定の側壁シート部２２に連設されている。内箱用シート３には、側壁シート部２２側から順に紙幅方向に間隔を存して、流れ方向に夫々のびる第１折線３１ａ、第２折線３２ａ、第３折線３３ａ及び第４折線３４ａが設けられている。そして、内箱用シート３が、第１折線３１ａで谷折りされて所定の側壁シート部２２に対向する姿勢に折り返される、第１折線３１ａと第２折線３２ａとの間の第１内側板部３１と、第２折線３２ａで第１内側板部３１に対して略直角に山折りされて底壁シート部２１に重なり合う、第２折線３２ａと第３折線３３ａとの間の内底板部３２と、第３折線３３ａで内底板部３２に対して略直角に山折りされて第１内側板部３１に対向する、第３折線３２ａと第４折線３３ａとの間の第２内側板部３３と、第４折線３４ａで第２内側板部３３に対して略直角に山折りされて内底板部３２に対向する、第４折線３４ａより紙幅方向外側の内蓋板部３４とを有する。
【００１８】
第１折線３１ａは、紙幅方向に間隔を存して形成される２本の折線３１１，３１２で構成され、各折線３１１，３１２で略直角に夫々谷折りされた姿勢では、各折線３１１，３１２の間に底壁シート部２１に平行で流れ方向に長手の帯状部３１ｂが形成されるようにしている。帯状部３１ｂには、第１折線３１１，３１２に沿って後述の爪部が挿入される第１挿通孔３１ｃが開設されている。また、第１内側板部３１の流れ方向両側には、紙幅方向にのびる第５折線３１ｄを介して一対の第３内側板部３５，３５が夫々連設されている。そして、各第３内側板部３５，３５が、第５折線３１ｄで第１内側板部３１に対して略直角に夫々山折りされ、第１内側板部３１、内底板部３２、第２内側板部３３及び内蓋板部３４を第１〜第４の各折線３１ａ，３２ａ，３３ａ，３４ａで順次折り曲げて内箱Ｉｂを組み立てた内箱Ｉｂの組立姿勢で流れ方向両側の開口面を夫々覆うようにしている。
【００１９】
内底板部３２の流れ方向両側には、紙幅方向にのびる第７折線３２ｂを介して一対の第１緩衝板部３６，３６が夫々連設されている。そして、各第１緩衝板部３６，３６は、第７折線３２ｂで内底板部３２に対して谷折り方向に折り返されて、内箱Ｉｂの組立姿勢で各第１緩衝板部３６，３６が内底板部３２と底壁シート部２１とに重なり合うようにしている。また、内底板部３２には、第２折線３２ａから所定間隔を存してかつこの第２折線３２ａに沿ってのびるリード罫３２ｃが設けられている。第２折線３２ａとリード罫３２ｃとの紙幅方向の間隔は、内底板部３２に各第１両緩衝板部３６，３６を重ね合せたときの厚みに応じて設定される。第２内側板部３３の流れ方向両側にもまた、紙幅方向にのびる第８折線３３ｂを介して一対の第２緩衝板部３７，３７が夫々連設されている。そして、各第２緩衝板部３７，３７は、第８折線３３ｂで第２内側板部３３に対して谷折り方向に折り返されて、各第２緩衝板部３７，３７がポンプユニットＰｕと内箱Ｉｂとの間に介在されるようにしている。
【００２０】
内蓋板部３４には紙幅方向に突出する爪片３８が連設され、流れ方向にのびる第６折線３８ａで内蓋板部３４に対して山折りされて第１挿通孔３１ｃに挿入できるようにしている。また、内蓋板部３４の所定位置には、流れ方向内方に向けて凹む凹状の切欠き３４ｂが設けられ、内箱Ｉｂの組立姿勢で内箱Ｉｂ内を視認するための覗き窓を構成するようにしている。爪片３８には、第６折線３８ａに沿って第２挿通孔３８ｂが開設され、側壁シート部２２に設けた舌片２７が挿入できるようにしている。舌片２７は、流れ方向にのびる第９折線２７ａを介して側壁シート部２２から第１挿通孔３１ｃを跨いで紙幅方向にのびるように、側壁シート２２に連設されている。この場合、舌片２７には、第９折線２７ａから間隔を存してかつ第９折線２７ａに平行に第１０折線２７ｂが設けられ、第９及び第１０の各折線２７ａ，２７ｂで略コ字状に谷折りできようになっている。以下に、図４〜図９を参照して、底箱Ｂｂ及び内箱Ｉｂの組立手順を含む、ポンプユニットＰｕと逆止弁Ｏｖとの梱包手順を説明する。
【００２１】
先ず、底箱Ｂｂを組み立てる。底箱Ｂｂの組立に際しては、流れ方向の側壁シート部２３，２５を各折線２１ａで谷折りして底壁シート部２１に対して起立させると共に、オーバラップシート部２６，２６を他の折線２１ｂで略直角に谷折りする。そして、紙幅方向の側壁シート部２２，２４を各折線２１ａで谷折りして底壁シート部２１に対して起立させ、この状態で爪片２２ａ，２４ａを谷折り方向に折り曲げて切欠き２６ａに夫々係止することで底箱Ｂｂを箱状に組み立てる（図４参照）。底箱Ｂｂが組み立てられると、内箱Ｂｂ内に、流れ方向の側壁シート部２３，２５の内面に沿ってポンプユニットＰｕの位置を規制する一対の規制体４を夫々設置する。各規制材４は、一枚の段ボールシートを角柱状に折り曲げ構成され、底箱Ｂｂへの規制体４の設置状態にて流れ方向内方に突出する４個の突片４１でポンプユニットＰｕの収納空間４２が区画されるようにしている。そして、収納空間４２にポンプユニットＰｕを設置した後、所定の側壁シート部２２とポンプユニットＰｕと規制体４，４とで区画されたスペースＳｐに内箱Ｉｂを組み立てる。
【００２２】
内箱Ｉｂの組立に際しては、図４に示す状態から、第５折線３１ｄで第１内側板部３１に対して各第３内側板部３５，３５を山折り方向に折り畳んで第１内側板部３１に各第３内側板部３５，３５を順次重ね合わせる。そして、第７折線３２ａで内底板部３２に対して各第１緩衝板部３６，３６を谷折り方向に折り畳んで各第１緩衝板部３６，３６を内底板部３２に順次重ね合わせると共に、第８折線３３ａで第２内側板部３３に対して各第２緩衝板部３７，３７を谷折り方向に折り畳んで第２内側板部３３に各第１緩衝板部３７，３７を順次重ね合わせる（図５に示す状態）。
【００２３】
次に、第２折線３２ａで第１内側板部３１に対して内底板部３２を略直角に山折りし、リード罫３２ｃを起点にして更に略直角に山折りして内底板部３２を第３内側板部３５に重ね合わせる（図６に示す状態）。この折り畳んだものを第１折線３１ａを起点に揺動、即ち、第１折線３１１，３１２で略直角に夫々谷折りしながら、スペースＳｐに挿入し、第１内側板部３１が側壁シート２２に対向する姿勢にする（図７に示す状態）。
【００２４】
次に、第２内側板部３３を第３折線３３ａで内底板部３２に対して山折りしながら、内底板部３２を、各第１緩衝板部３６，３６を介して底壁シート部２１の内面に重なるように谷折り方向に折り曲げて展開する（図８に示す状態）。そして、第３内側板部３５，３５を谷折り方向に戻して両規制体４，４に夫々接触させる。これにより、底箱Ｂｂ内のスペースＳｐに、内蓋板部３４が開放状態の内箱Ｉｂが組み立てられる。この場合、各第２緩衝板部３７，３７は折り返した状態のまま保持され、ポンプユニットＰｕと内箱Ｉｂとの間で緩衝材としての役割を果たすようにしている。この状態で内箱Ｉｂに逆止弁Ｏｖを収納する。
【００２５】
逆止弁Ｏｖが収納されると、内蓋板部３４を第４折線３４ａで第２内側板部３３に対して略直角に山折りすると共に、爪片３８を第６折線３８ａで内蓋板部３４に対して略直角に山折りし、爪片３８を第１挿通孔３１ｃに挿入して係止する。そして、舌片２７を第９折線２７ａ及び第１０折線２７ｂで谷折りしながら第２挿通孔３８ｂに挿入して係止する。このとき、外箱Ｏｂを底箱Ｂｂに外嵌する際に舌片２７が抜け出すことを確実に防止するために、第９折線２７ａと第１０折線２７ｂとの間に位置する舌片２７の基端部が、鉛直方向に対して内箱Ｉｂの内方に傾斜するような姿勢を取るようにしておくことが好ましい。これにより、内箱Ｉｂの上面が内蓋板部３４で覆われると共に、内蓋板部３４の開放も防止され、内箱Ｉｂがその内部に逆止弁Ｏｖを収納した状態で完全に組み立てられる。本実施形態では、第１及び第２の両挿通孔３１ｃ，３８ｂと、爪片３８と、舌片２７とでロック手段が構成される。
【００２６】
内箱Ｉｂが組み立てられると、底箱Ｂｂにその上方から外箱Ｏｂを外嵌し、外箱Ｏｂの上側開放面から、ポンプユニットＰｕの上端周縁部を覆うように２個の緩衝体５，５を嵌め込む。緩衝体５，５としては、一枚の段ボールシートを角柱状に折り曲げて構成されるものが用いられる。そして、側壁シート部１１に対して蓋シート部１２を折り曲げて上面を閉じ、この状態で粘着テープで固定することで、梱包が終了する。
【００２７】
以上の実施形態によれば、内箱Ｉｂの組立姿勢では、第１内側板部３１、第２内側板部３２及び第３内側板部３３における内箱用シート３の中芯３ｂが夫々上下方向にのびるように延在することで、内箱Ｉｂに十分な強度を持たせることができる。しかも、逆止弁Ｏｖが収納される内箱Ｉｂの底側は、夫々がクッション性を持つ底壁シート部２１と、内底板部３２と、各第１緩衝板部３６，３６との四重底構造となる。その結果、運搬時の衝撃や振動で逆止弁Ｏｖが破損したり、飛び出すことを確実に防止できる。また、第１及び第２の両挿通孔３１ｃ，３８ｂと、爪片３８と、舌片２７とでロック手段を構成したことで、底箱Ｂｂに外箱Ｏｂを外嵌する際に、第２挿通孔３８ｂに挿入した舌片２７が抜け出し難い構造にできる。
【００２８】
更に、リード罫３２ｃを設けたことで、第１内側板部３１と各第３側板部３５，３５とが重なるように折り畳むと共に、内底板部３３と各第１緩衝板部３６，３６とが重なるように折り畳んだ状態で、リード罫３２ｃを起点に折り曲げて内底板部３３が上側に位置する第３側板部３５に重なるように折り畳む際、第１内側板部３１が不必要に折り曲げられてこの第１内側板部３１の強度が低下する等の不具合が生じることを防止できる。
【００２９】
以上、本発明の実施形態について説明したが、本発明は上記のものに限定されるものではない。上記実施形態では、一対の第３内側板部３５，３５が第１内側板部３１に第５折線３１ｄを介して連設されているものを例に説明したが、これに限定されるものではなく、例えば、第２内側板部３３に設けた第２緩衝板部３７，３７で構成することもできる。なお、上記実施形態において、一対の第２緩衝板部３７，３７を谷折りして第３内側板部３５，３５に夫々重なり合うようにし、組立姿勢における内箱Ｉｂの強度を高めるようにしてもよい。また、上記実施形態では、内底板部３２に第１緩衝板部３６，３６が連設されたものを例に説明したが、第１緩衝板部３６，３６は省略することもできる。この場合、第２折線３２ａとリード罫３２ｃとの紙幅方向の間隔は、段ボールシートの厚みに応じて適宜設定される。
【００３０】
また、上記実施形態では、第１及び第２の両挿通孔３１ｃ，３８ａと、爪片３８と、舌片２７とでロック手段が構成されるものを例に説明したが、これに限定されるものではなく、例えば上記底箱Ｂｂのように爪片と切欠きとでその開放を防止するロック手段を構成することができ、また、内蓋板部３４の先端を第１側板部３１の上端に重ね、この状態で粘着テープを貼付するようにしてもよい。この場合、粘着テープでロック手段が構成される。
【００３１】
更に、上記実施形態では、第３内側板部３３が一対の規制体４，４でその開放ができないようにしたものを例に説明したが、これに限定されるものではなく、上記同様、爪片と切欠きとでその開放が防止されるようにすることもできる。また、上記実施形態では、底箱Ｂｂの組立後、底箱Ｂｂ内に規制体４，４を設置するものを例に説明したが、被梱包物の位置が規制できるものであれば、これに限定されるものではなく、また、底箱用シート２を組み立てるときに同時に規制体４，４が同時に組み立てられるようにすることもできる。
【符号の説明】
【００３２】
ＷＢ…梱包箱、Ｂｂ…底箱、Ｉｂ…内箱、Ｏｂ…外箱、Ｐｕ…給湯器用ポンプユニット（被梱包物）、Ｏｖ…逆止弁（被同梱物）、２…底箱用シート（一枚の段ボールシート）、３…内箱用シート、２１…底壁シート、２２〜２５…側壁シート、２７…舌片（ロック手段）、３１…第１内側板部、３１ａ…第１折線、３１ｃ…第１挿通孔（ロック手段）、３１１，３１２…第１折線を構成する折線、３１ｄ…第５折線、３２…内底板部、３２ａ…第２折線、３２ｃ…リード罫、３３…第２内側板部、３３ａ…第３折線、３４…内蓋板部、３４ａ…第４折線、３５…第３内側板部、３８…爪片（ロック手段）、３８ａ…第６折線、３８ｂ…第２挿通孔（ロック手段）。
【図１】
0006599793.tif 000002
【図２】
0006599793.tif 000003
【図３】
0006599793.tif 000004
【図４】
0006599793.tif 000005
【図５】
0006599793.tif 000006
【図６】
0006599793.tif 000007
【図７】
0006599793.tif 000008
【図８】
0006599793.tif 000009
【図９】
0006599793.tif 000010